(57)【要約】      （修正有）【課題】軽量であって、磁石及びピンによりメモ、写真等を留めておける軽量であって取扱いが容易な掲示用ボードを提供する。【解決手段】室内に配置し、被掲示物を一時的に固定して掲示しうる掲示用ボードであって、ピン１０を挿通させうる素材からなるピン固定板部１７を有するボード本体１０と、上記ボード本体の表面部に設けられた鉄製のメッシュ部１１とを備え、上記ピン固定板部１７とを備える。また、上記ピン固定板部１７は、発泡ポリスチレン層１６と、上記発泡ポリスチレン層１６の表面側に配設されたエチレンビニルアセテート層１５とを備え、鉄製のメッシュ部１１は、鉄製のメッシュ部材を構成とする。【選択図】図４
0003179106.tif 000002
【実用新案登録請求の範囲】
【請求項１】
室内に配置し、被掲示物を一時的に固定して掲示しうる掲示用ボードであって、ピンを挿通させうる素材からなるピン固定板部を有するボード本体と、上記ボード本体の表面部に設けられた鉄製のメッシュ部とを備え、上記ピン固定板部は合成樹脂製であることを特徴とする掲示用ボード。
【請求項２】
上記ピン固定板部は、発泡ポリスチレン層と、上記発泡ポリスチレン層の表面側に配設されたエチレンビニルアセテート層とからなることを特徴とする請求項１記載の掲示用ボード。
【請求項３】
上記ボード本体は、ピン固定板部の裏面側に設けられたハードボード部を有することを特徴とする請求項１記載の掲示用ボード。
【請求項４】
上記ハードボード部の厚さ寸法が３ｍｍ、上記発泡ポリスチレン層の厚さ寸法は９ｍｍ、エチレンビニルアセテート層の厚さ寸法は２ｍｍ、上記鉄製のメッシュ部は厚さ寸法が１ｍｍであることを特徴とする請求項１記載の掲示用ボード。
【考案の詳細な説明】
【技術分野】
【０００１】
本考案は、掲示用ボードの改良に関する。
【背景技術】
【０００２】
一般に、室内の壁面等に掛け、メモやカード等を貼っておくことのできる各種のボードが広く使用されている。
このようなボードには、例えば、コルク素材、ゴム素材からなる板面を有し、その板面にピンでメモ、写真等を固定できるようにしたものや、金属板材を内装した板材を有し、板面上に小さな磁石でメモ、写真等を固定できるようにしたものが広く販売されている。
【０００３】
しかしながら、上記コルク素材、ゴム素材からなる板面を有し、その板面にピンでメモ、写真等を固定できるようにしたものにあっては、磁石でメモ等を固定することができないと共に、上記金属板材を内装した板材を有し、板面上に小さな磁石でメモ、写真等を固定できるようにしたものにあっては、金属材を内装していることから重量が重く、壁等に掛ける作業が煩雑である、という不具合を有していた。
【０００４】
このような観点から、従来より、ピンが刺せるようにコルクや、ゴムの素材からなる板本体部と、上記板本体部上に磁石が吸着できるように金属製の板状部材を固定したボードが提案されていた（特許文献１参照）。
【０００５】
しかしながら、このような従来のボードにあっては、板本体部がコルク又はゴムにより構成され、その板本体部に金属製板状部材が固定されていたことから、全体として重量が大きくなり、重く、取扱いが不便である、という不具合があった。
【特許文献１】特開２００５−７８０６１
【考案の開示】
【考案が解決しようとする課題】
【０００６】
本考案はこのような従来からの不具合を解決するためのものであって、その課題は、軽量であって、ピン及び磁石により、メモや写真等を留めておける軽量であって取扱いが容易な掲示用ボードを提供することにある。
【課題を解決するための手段】
【０００７】
上記課題達成のため、請求項１記載の考案にあっては、室内に配置し、被掲示物を一時的に固定して掲示しうる掲示用ボードであって、ピンを挿通させうる素材からなるピン固定板部を有するボード本体と、上記ボード本体の表面部に設けられた鉄製のメッシュ部とを備え、上記ピン固定板部は合成樹脂製であることを特徴とする。
【０００８】
従って、請求項１記載の考案にあっては、ピンは、上記ボード本体の表面部に設けられた鉄製のメッシュ部と合成樹脂製の上記ピン固定板部を挿通してメモ、写真等の被掲示物を固定させることができる。また、磁石等による磁性体により鉄製のメッシュ部表面に被掲示物を係止することができる。
【０００９】
請求項２記載の考案にあっては、上記ピン固定板部は、発泡ポリスチレン層と、上記発泡ポリスチレン層の表面側に配設されたエチレンビニルアセテート層とからなることを特徴とする。
【００１０】
従って、請求項２記載の考案にあっては、上記ピン固定板部は、発泡ポリスチレン層と、上記発泡ポリスチレン層の表面側に配設されたエチレンビニルアセテート層を有していることからピンを挿通させ、また、固定させることができる。
【００１１】
請求項３に記載の考案にあっては、上記ボード本体は、ピン固定板部の裏面側に設けられたハードボード部を有することを特徴とする。
また、上記ハードボードは、間伐材や建築解体材等を木材チップ化し繊維状にした後、成形熱圧することにより形成される。
【００１２】
請求項４記載の考案にあっては、上記ハードボード部の厚さ寸法が３ｍｍ、上記発泡ポリスチレン層の厚さ寸法は９ｍｍ、エチレンビニルアセテート層の厚さ寸法は２ｍｍ、上記鉄製のメッシュ部は厚さ寸法が１ｍｍであることを特徴とする。
【考案の効果】
【００１３】
請求項１記載の考案にあっては、掲示用ボードにおいて、ピンは上記ボード本体の表面部に設けられた鉄製のメッシュ部の空隙を通り、合成樹脂製の上記ピン固定板部を挿通することができる。また、磁石等の磁性体による鉄製のメッシュ部表面に掲示物の係止ができる。
その結果、上記ピン固定部は、合成樹脂製で構成されるため、従来知られている特許文献１のような、コルクやゴムにより構成される場合より、軽量化されていることから、掲示用ボードとしての取り扱いが容易となっている。
【００１４】
請求項２記載の考案にあっては、合成樹脂製である上記ピン固定板部は、発泡ポリスチレン層と、上記発泡ポリスチレン層の表面側に配設されたエチレンビニルアセテート層を備えるため、ピンを挿通させることができ、また、ピンを固定することができる。
その結果、上記ピン固定板は、発泡スチレン層及びエチレンビニルアセテート層から構成されるため、上記掲示用ボードの軽量化に寄与している。
【００１５】
請求項３の考案にあっては、上記ボード本体は、ピン固定板部の裏面側に設けられたハードボード部を備えるため、掲示用ボード全体の剛性を高めることができる。
【００１６】
請求項４の考案にあっては、上記ハードボード部の厚さ寸法が３ｍｍ、上記発泡ポリスチレン層の厚さ寸法が９ｍｍ、エチレンビニルアセテート層の厚さ寸法が２ｍｍ、上記鉄製のメッシュ部の厚さ寸法が１ｍｍである。
その結果、掲示用ボードとして、軽量でありながら強度を兼備している掲示用ボードとして最も使いやすい厚さとなっている。
【図面の簡単な説明】
【００１７】
【図１】本考案に係る掲示用ボードの一実施の形態を示す斜視図であって、掲示物をピン及び磁石により固定した状態を示す図である。
【図２】本考案に係る掲示用ボードの一実施の形態を示す平面図であって、掲示用ボードの表面を示す図である。
【図３】本考案に係る掲示用ボードの一実施の形態を示す平面図であって、掲示用ボードの裏面を示す図である。
【図４】本考案に係る掲示用ボードの一実施の形態を示す図２の4−4線断面図である。
【考案を実施するための最良の形態】
【００１８】
以下、添付図面に示す実施の形態に基づき、本考案を詳細に説明する。
図１〜図４に示すように、本実施の形態に係る掲示用ボード１０は、室内に配置し、被掲示物を一時的に固定して掲示しうるように形成されている。ピン２３を挿通させうる素材からなるピン固定板部１７を有するボード本体１８と、上記ボード本体１８の表面部に設けられた鉄製のメッシュ部１１とを備えている。上記ピン固定板部１７は合成樹脂製であって、枠材１２により一体に固定されて構成されている。
本実施の形態にあっては、掲示用ボード１０は全体正方形状の板部材として形成され、ボード本体及び鉄製のメッシュ部１１の周縁部には上記枠材１２が取り付けられている。
【００１９】
図３及び図４に示すように、上記ボード本体１８は、ピン固定板部１７の裏面側に設けられたハードボード部１３を備える。上記ボード本体を構成するハードボードは、間伐材や建築解体材等を木材チップ化し繊維状にした後、成形熱圧することにより形成される。
【００２０】
図４に示すように、上記ピン固定板部１７は、発泡ポリスチレン層１６と、上記発泡ポリスチレン層１６の表面側に配設されたエチレンビニルアセテート層１５とから構成されている。また、掲示用ボード１０は、表面側より鉄製のメッシュ部１１、エチレンビニルアセテート層１５、発泡ポリスチレン層１６、ハードボード部１３の順に積層されている。
【００２１】
図３に示すように、掲示用ボード１０の裏面のハードボード部１３の一端部付近に、図１に示される紐部材２６を挿通して壁面２８に取り付けられた掛け具２５に吊るすことができる一対の取り付けガイド穴１４、１４を備えており、例えば紐部材を上記ガイド穴１４、１４に挿通することにより、図１に示すように、掲示用ボード１０は壁面２８に固定された掛け具２５に、掲示用ボード１０の裏面に取り付けられた紐部材２６を介して吊すことができる。また、掲示用ボード１０の表面には、ピン２３及び磁石２４による被掲示物２７ａ~ｄを係止することができる。
【００２２】
上記枠材１２は、断面略方形状であって、全体略棒状のフレーム材として構成されている。図４に示すように、断面長方形状の本体部１９と、本体部１９の長さ方向一端部に幅方向に沿って形成された幅方向突設部２０と、長さ方向他端部に長さ方向に沿って形成された長さ方向突設部２１とを有している。
上記ハードボード部１３は、上記長さ方向突設部２１と上記本体部１９との間の段部２２に固定され、上記メッシュ部１１及び固定板部１７はハードボード部１３と幅方向突設部２０との間の段部２９に固定されている。
【００２３】
以下、本実施の形態に係る掲示用ボードの作用について説明する。
掲示用ボードにおいて、上記ボード本体１８の表面部には鉄製のメッシュ部１１を備えるため、その結果、鉄製のメッシュ部１１の空隙部を介して、ピンを、合成樹脂からなるピン固定板部１７に対して突き刺すことにより被掲示物を挿通して固定される。
また、磁石を用いて被掲示物を係止する場合には、鉄製のメッシュ部１１の表面に磁性吸着させることができる。
【００２４】
本実施の形態、図４に示すように、ピン固定板部１７は、上記発泡ポリスチレン層１６と、上記発泡ポリスチレン層１６の表面側に配設されたエチレンビニルアセテート層１５からなる合成樹脂製であるため、軽量であり、持ち運びしやすいなど、取り扱いを容易にしている。
【００２５】
本実施の形態、図１に示すように、掲示用ボード１０は、図３に示される取り付けガイド穴１４を有するため、その結果、紐部材２６を取り付けガイド穴１４に挿通して、壁面２８等に固定された掛け具２５に吊るして使用することができる。
また、ピン固定板部１７は、上記発泡ポリスチレン層１６と、上記発泡ポリスチレン層１６の表面側に配設されたエチレンビニルアセテート層１５からなる合成樹脂製であるため、ピン２３を使用して被掲示物２７ａ、２７ｂ、２７ｃを係止することができる。また、掲示用ボード１０の表面は鉄製のメッシュ部１１を備えるため、磁石２４を使用して、被掲示物２７ｄを係止することができる。
【産業上の利用可能性】
【００２６】
本考案は、広くピン及び磁石等の係止具を利用してメモや写真等を係止することができる軽量であって取扱いが容易な掲示用ボードに適用することができるため、産業状の利用可能性を有している。
【符号の説明】
【００２７】
１０ 掲示用ボード
１１ 鉄製のメッシュ部
１２ 枠材
１３ ハードボード部
１４ 取り付けガイド穴
１５ エチレンビニルアセテート層
１６ 発泡ポリスチレン層
１７ 固定板部
１８ ボード本体
１９ 本体部
２０ 幅方向突設部
２１ 長さ方向突設部
２２ 段部
２３ ピン
２４ 磁石
２５ 掛け具
２６ 紐部材
２７ａ 被掲示物
２７ｂ 被掲示物
２７ｃ 被掲示物
２７ｄ 被掲示物
２８ 壁面
２９ 段部
【図１】
0003179106.tif 000003
【図２】
0003179106.tif 000004
【図３】
0003179106.tif 000005
【図４】
0003179106.tif 000006
【手続補正書】
【提出日】平成24年8月7日(2012.8.7)
【手続補正１】
【補正対象書類名】実用新案登録請求の範囲
【補正対象項目名】全文
【補正方法】変更
【補正の内容】
【実用新案登録請求の範囲】
【請求項１】
室内に配置し、被掲示物を一時的に固定して掲示しうる掲示用ボードであって、ピンを挿通させうる素材からなるピン固定板部を有するボード本体と、上記ボード本体の表面部に設けられた鉄製のメッシュ部とを備え、上記ピン固定板部は合成樹脂製であることを特徴とする掲示用ボード。
【請求項２】
上記ピン固定板部は、発泡ポリスチレン層と、上記発泡ポリスチレン層の表面側に配設されたエチレンビニルアセテート層とからなり、上記ボード本体は、ピン固定板部の裏面側に設けられたハードボード部を有し、上記ハードボード部の厚さ寸法が３ｍｍ、上記発泡ポリスチレン層の厚さ寸法は９ｍｍ、エチレンビニルアセテート層の厚さ寸法は２ｍｍ、上記平板状金属部は厚さ寸法が１ｍｍであることを特徴とする請求項１項記載の掲示用ボード。
【手続補正２】
【補正対象書類名】明細書
【補正対象項目名】全文
【補正方法】変更
【補正の内容】
【考案の詳細な説明】
【技術分野】
【０００１】
本考案は、掲示用ボードの改良に関する。
【背景技術】
【０００２】
一般に、室内の壁面等に掛け、メモやカード等を貼っておくことのできる各種のボードが広く使用されている。
このようなボードには、例えば、コルク素材、ゴム素材からなる板面を有し、その板面にピンでメモ、写真等を固定できるようにしたものや、金属板材を内装した板材を有し、板面上に小さな磁石でメモ、写真等を固定できるようにしたものが広く販売されている。
【０００３】
しかしながら、上記コルク素材、ゴム素材からなる板面を有し、その板面にピンでメモ、写真等を固定できるようにしたものにあっては、磁石でメモ等を固定することができないと共に、上記金属板材を内装した板材を有し、板面上に小さな磁石でメモ、写真等を固定できるようにしたものにあっては、金属材を内装していることから重量が重く、壁等に掛ける作業が煩雑である、という不具合を有していた。
【０００４】
このような観点から、従来より、ピンが刺せるようにコルクや、ゴムの素材からなる板本体部と、上記板本体部上に磁石が吸着できるように金属製の板状部材を固定したボードが提案されていた（特許文献１参照）。
【０００５】
しかしながら、このような従来のボードにあっては、板本体部がコルク又はゴムにより構成され、その板本体部に金属製板状部材が固定されていたことから、全体として重量が大きくなり、重く、取扱いが不便である、という不具合があった。
【特許文献１】特開２００５−７８０６１
【考案の開示】
【考案が解決しようとする課題】
【０００６】
本考案はこのような従来からの不具合を解決するためのものであって、その課題は、軽量であって、ピン及び磁石により、メモや写真等を留めておける軽量であって取扱いが容易な掲示用ボードを提供することにある。
【課題を解決するための手段】
【０００７】
上記課題達成のため、請求項１記載の考案にあっては、室内に配置し、被掲示物を一時的に固定して掲示しうる掲示用ボードであって、ピンを挿通させうる素材からなるピン固定板部を有するボード本体と、上記ボード本体の表面部に設けられた鉄製のメッシュ部とを備え、上記ピン固定板部は合成樹脂製であることを特徴とする。
【０００８】
従って、請求項１記載の考案にあっては、ピンは、上記ボード本体の表面部に設けられた鉄製のメッシュ部と合成樹脂製の上記ピン固定板部を挿通してメモ、写真等の被掲示物を固定させることができる。また、磁石等による磁性体により鉄製のメッシュ部表面に被掲示物を係止することができる。
【０００９】
請求項２記載の考案にあっては、上記ピン固定板部は、発泡ポリスチレン層と、上記発泡ポリスチレン層の表面側に配設されたエチレンビニルアセテート層とからなり、上記ボード本体は、ピン固定板部の裏面側に設けられたハードボード部を有し、上記ハードボード部の厚さ寸法が３ｍｍ、上記発泡ポリスチレン層の厚さ寸法は９ｍｍ、エチレンビニルアセテート層の厚さ寸法は２ｍｍ、上記平板状金属部は厚さ寸法が１ｍｍであることを特徴とする。
【００１０】
従って、請求項２記載の考案にあっては、上記ピン固定板部は、発泡ポリスチレン層と、上記発泡ポリスチレン層の表面側に配設されたエチレンビニルアセテート層を有していることからピンを挿通させ、また、固定させることができる。上記ハードボードは、間伐材や建築解体材等を木材チップ化し繊維状にした後、成形熱圧することにより形成される。
【考案の効果】
【００１１】
請求項１記載の考案にあっては、掲示用ボードにおいて、ピンは上記ボード本体の表面部に設けられた鉄製のメッシュ部の空隙を通り、合成樹脂製の上記ピン固定板部を挿通することができる。また、磁石等の磁性体による鉄製のメッシュ部表面に掲示物の係止ができる。
その結果、上記ピン固定部は、合成樹脂製で構成されるため、従来知られている特許文献１のような、コルクやゴムにより構成される場合より、軽量化されていることから、掲示用ボードとしての取り扱いが容易となっている。
【００１２】
請求項２記載の考案にあっては、合成樹脂製である上記ピン固定板部は、発泡ポリスチレン層と、上記発泡ポリスチレン層の表面側に配設されたエチレンビニルアセテート層を備えるため、ピンを挿通させることができ、また、ピンを固定することができる。その結果、上記ピン固定板は、発泡スチレン層及びエチレンビニルアセテート層から構成されるため、上記掲示用ボードの軽量化に寄与している。
さらに、上記ボード本体は、ピン固定板部の裏面側に設けられたハードボード部を備えるため、掲示用ボード全体の剛性を高めることができる。
また、上記ハードボード部の厚さ寸法が３ｍｍ、上記発泡ポリスチレン層の厚さ寸法が９ｍｍ、エチレンビニルアセテート層の厚さ寸法が２ｍｍ、上記鉄製のメッシュ部の厚さ寸法が１ｍｍであることから、掲示用ボードとして、軽量でありながら強度を兼備し、最も使いやすい厚さとなっている。
【図面の簡単な説明】
【００１３】
【図１】本考案に係る掲示用ボードの一実施の形態を示す斜視図であって、掲示物をピン及び磁石により固定した状態を示す図である。
【図２】本考案に係る掲示用ボードの一実施の形態を示す平面図であって、掲示用ボードの表面を示す図である。
【図３】本考案に係る掲示用ボードの一実施の形態を示す平面図であって、掲示用ボードの裏面を示す図である。
【図４】本考案に係る掲示用ボードの一実施の形態を示す図２の4−4線断面図である。
【考案を実施するための最良の形態】
【００１４】
以下、添付図面に示す実施の形態に基づき、本考案を詳細に説明する。
図１〜図４に示すように、本実施の形態に係る掲示用ボード１０は、室内に配置し、被掲示物を一時的に固定して掲示しうるように形成されている。ピン２３を挿通させうる素材からなるピン固定板部１７を有するボード本体１８と、上記ボード本体１８の表面部に設けられた鉄製のメッシュ部１１とを備えている。上記ピン固定板部１７は合成樹脂製であって、枠材１２により一体に固定されて構成されている。
本実施の形態にあっては、掲示用ボード１０は全体正方形状の板部材として形成され、ボード本体及び鉄製のメッシュ部１１の周縁部には上記枠材１２が取り付けられている。
【００１５】
図３及び図４に示すように、上記ボード本体１８は、ピン固定板部１７の裏面側に設けられたハードボード部１３を備える。上記ボード本体を構成するハードボードは、間伐材や建築解体材等を木材チップ化し繊維状にした後、成形熱圧することにより形成される。
【００１６】
図４に示すように、上記ピン固定板部１７は、発泡ポリスチレン層１６と、上記発泡ポリスチレン層１６の表面側に配設されたエチレンビニルアセテート層１５とから構成されている。また、掲示用ボード１０は、表面側より鉄製のメッシュ部１１、エチレンビニルアセテート層１５、発泡ポリスチレン層１６、ハードボード部１３の順に積層されている。
【００１７】
図３に示すように、掲示用ボード１０の裏面のハードボード部１３の一端部付近に、図１に示される紐部材２６を挿通して壁面２８に取り付けられた掛け具２５に吊るすことができる一対の取り付けガイド穴１４、１４を備えており、例えば紐部材を上記ガイド穴１４、１４に挿通することにより、図１に示すように、掲示用ボード１０は壁面２８に固定された掛け具２５に、掲示用ボード１０の裏面に取り付けられた紐部材２６を介して吊すことができる。また、掲示用ボード１０の表面には、ピン２３及び磁石２４による被掲示物２７ａ~ｄを係止することができる。
【００１８】
上記枠材１２は、断面略方形状であって、全体略棒状のフレーム材として構成されている。図４に示すように、断面長方形状の本体部１９と、本体部１９の長さ方向一端部に幅方向に沿って形成された幅方向突設部２０と、長さ方向他端部に長さ方向に沿って形成された長さ方向突設部２１とを有している。
上記ハードボード部１３は、上記長さ方向突設部２１と上記本体部１９との間の段部２２に固定され、上記メッシュ部１１及び固定板部１７はハードボード部１３と幅方向突設部２０との間の段部２９に固定されている。
【００１９】
以下、本実施の形態に係る掲示用ボードの作用について説明する。
掲示用ボードにおいて、上記ボード本体１８の表面部には鉄製のメッシュ部１１を備えるため、その結果、鉄製のメッシュ部１１の空隙部を介して、ピンを、合成樹脂からなるピン固定板部１７に対して突き刺すことにより被掲示物を挿通して固定される。
また、磁石を用いて被掲示物を係止する場合には、鉄製のメッシュ部１１の表面に磁性吸着させることができる。
【００２０】
本実施の形態、図４に示すように、ピン固定板部１７は、上記発泡ポリスチレン層１６と、上記発泡ポリスチレン層１６の表面側に配設されたエチレンビニルアセテート層１５からなる合成樹脂製であるため、軽量であり、持ち運びしやすいなど、取り扱いを容易にしている。
【００２１】
本実施の形態、図１に示すように、掲示用ボード１０は、図３に示される取り付けガイド穴１４を有するため、その結果、紐部材２６を取り付けガイド穴１４に挿通して、壁面２８等に固定された掛け具２５に吊るして使用することができる。
また、ピン固定板部１７は、上記発泡ポリスチレン層１６と、上記発泡ポリスチレン層１６の表面側に配設されたエチレンビニルアセテート層１５からなる合成樹脂製であるため、ピン２３を使用して被掲示物２７ａ、２７ｂ、２７ｃを係止することができる。また、掲示用ボード１０の表面は鉄製のメッシュ部１１を備えるため、磁石２４を使用して、被掲示物２７ｄを係止することができる。
【産業上の利用可能性】
【００２２】
本考案は、広くピン及び磁石等の係止具を利用してメモや写真等を係止することができる軽量であって取扱いが容易な掲示用ボードに適用することができるため、産業状の利用可能性を有している。
【符号の説明】
【００２３】
１０ 掲示用ボード
１１ 鉄製のメッシュ部
１２ 枠材
１３ ハードボード部
１４ 取り付けガイド穴
１５ エチレンビニルアセテート層
１６ 発泡ポリスチレン層
１７ 固定板部
１８ ボード本体
１９ 本体部
２０ 幅方向突設部
２１ 長さ方向突設部
２２ 段部
２３ ピン
２４ 磁石
２５ 掛け具
２６ 紐部材
２７ａ 被掲示物
２７ｂ 被掲示物
２７ｃ 被掲示物
２７ｄ 被掲示物
２８ 壁面
２９ 段部